(57)【要約】【課題】ペン先となる筆記部を手で操作することにより、筆記しやすい任意の位置に筆記者自身が筆記部の向きを調整することができるマーキングペンなどに好適な筆記具を提供する。【解決手段】筆記部が非対照型であり、該筆記部が回転可能であることを特徴とする筆記具Ａ。【選択図】図１
2014050967.tif 000002
【特許請求の範囲】
【請求項１】
筆記部が非対照型であり、該筆記部が回転可能であることを特徴とする筆記具。
【請求項２】
筆記具本体となる胴部が非円形軸であることを特徴とする請求項１に記載の筆記具。
【請求項３】
筆記部の外周部が樹脂成形品で形成されていることを特徴とする請求項１または２に記載の筆記具。
【請求項４】
筆記部と筆記具本体との嵌合部が円形であることを特徴とする請求項１〜３の何れか一つに記載の筆記具。
【発明の詳細な説明】
【技術分野】
【０００１】
本発明は、ペン先となる筆記部を手等で操作することにより、筆記しやすい任意の位置に筆記者自身が筆記部の向きを調整することができるマーキングペンなどに好適な筆記具に関する。
【背景技術】
【０００２】
従来より、筆記具本体内のインクをペン先の筆記部に供給するアンダーラインマーカー等と呼ばれるタイプの筆記具は、一般に、ペン先が幅広のチゼル形状になっているので、筆記方向が限られることから、筆記の持ち方も自ずと決定するものであった。
【０００３】
特に、筆記具本体の断面形状が円形状以外の楕円形状等のものでは、使用者によっては筆記具本体（ペン体）の持ち方が固定されてしまう構造となるものである（例えば、特許文献１、２参照）。そのため、ペン先の向きが筆記し辛い位置になることがあるなどの課題がある。
【０００４】
また、文字や絵を描いている最中にペン先となる偏平状のチップが回転してしまう不具合を解消するために、偏平状のチップをしっかりと固定した塗布具（例えば、特許文献３参照）が知られている。
しかしながら、ペン先をしっかり固定してしまうと、持ち方によってペン先が傾きづらいなどの課題がある。
【先行技術文献】
【特許文献】
【０００５】
【特許文献１】特開平１１−４８６７９号公報（特許請求の範囲、段落〔００１３〕等）
【特許文献２】特開２０１２−２０５７５号公報（特許請求の範囲、図面等）
【特許文献３】特開平７−１９５０２５号公報（特許請求の範囲、図２等）
【発明の概要】
【発明が解決しようとする課題】
【０００６】
本発明は、上記従来技術の課題に鑑み、これを解消しようとするものであり、筆記具本体の持ち方が固定される楕円形状等の軸筒であっても、筆記しやすい任意の位置にペン先となる筆記部の向きを容易に調整することができると共に、筆記時には筆記部は回転しない構造となる筆記具を提供することを目的とする。
【課題を解決するための手段】
【０００７】
本発明者は、上記従来の課題等を解決するために、鋭意検討した結果、ペン先となる筆記部を特定構造などとすることにより、上記目的の筆記具が得られることを見出し、本発明を完成するに至ったのである。
【０００８】
すなわち、本発明は、次の（１）〜（４）に存する。
（１）  筆記部が非対照型であり、該筆記部が回転可能であることを特徴とする筆記具。
（２）  筆記具本体となる軸部が非円形軸であることを特徴とする上記（１）に記載の筆記具。
（３）  筆記部の外周部が樹脂成形品で形成されていることを特徴とする上記（１）又は（２）に記載の筆記具。
（４）  筆記部と筆記具本体との嵌合部が円形であることを特徴とする上記（１）〜（３）の何れか一つに記載の筆記具。
【発明の効果】
【０００９】
本発明によれば、筆記部を回転させ、筆記部の位置を任意に調整できることで、筆記しやすい位置に設定することができると共に、筆記時には筆記部は回転しない構造となる筆記具が提供される。
また、筆記部の外周を樹脂成形品にすることで手を汚すことなく筆記部の位置を任意に調整することができる。
【図面の簡単な説明】
【００１０】
【図１】本発明の実施形態の一例を示す筆記具の図面であり、（ａ）は前方側から見た筆記具の斜視図、（ｂ）は後方側から見た筆記具の斜視図である。
【図２】（ａ）は図１の筆記具にキャップ体を取り付けた状態の一例を示す縦断面図、（ｂ）はその（ａ）におけるＸ−Ｘ線の断面図である。
【図３】図１の筆記具における筆記部と筆記部本体との取り付け状態を示す拡大部分縦断面図である。
【図４】（ａ）は図１の筆記具の先軸の縦断面図、（ｂ）は筆記部を有するペン先の正面図、（Ｃ）は、ペン先の斜視図である。
【図５】（ａ）は図１の筆記具の正面図、（ｂ）はその左側面図、（ｃ）はその平面図である。
【図６】図４の筆記具の筆記部を４５°回転した際の状態を示す図面であり、（ａ）はその正面図、（ｂ）はその左側面図、（ｃ）はその平面図である。
【図７】図４の筆記具の筆記部を９０°回転した際の状態を示す図面であり、（ａ）はその正面図、（ｂ）はその左側面図、（ｃ）はその平面図である。
【図８】本発明の実施形態の他例を示す筆記具の縦断面図である。
【図９】本発明の実施形態の他例を示す筆記具の縦断面図である。
【図１０】（ａ）〜（ｃ）は、本発明の筆記具に用いることができる先軸とペン先の他例を示す各図面であり、（ａ）は、先軸の縦断面図、（ｂ）は筆記部を有するペン先の正面図、（Ｃ）は、ペン先の斜視図である。
【発明を実施するための形態】
【００１１】
以下に、本発明の実施形態を図面を参照して詳しく説明する。
図１〜図７は、本発明の実施形態の一例を示す筆記具の各図面である。
本実施形態の筆記具Ａは、マーキングペンタイプの筆記具であり、図１〜図３に示すように、筆記具本体（軸部）となる軸筒１０、インク吸蔵体２０、中継多孔体３０、ペン先４０、キャップ体６０を備えている。
軸筒１０は、例えば、熱可塑性樹脂、熱硬化性樹脂、ガラス等で形成されるものであり、筆記具用インクを含浸したインク吸蔵体２０を収容する有底筒状の後軸１１と、ペン先４０を固着する先軸１５とを有している。
後軸１１は、例えば、ＰＰ等からなる合成樹脂を使用して長い有底楕円筒形（楕円軸）に成形され、筆記具本体として機能する。この後軸１１は、後端側内部にインク吸蔵体２０の後端部を保持する保持片からなる保持部材１２が設けられており、後軸全体及び後述する先軸は不透明又は透明（及び半透明）に成形されるが、外観上や実用上の観点からいずれを採用しても良い。また、後軸１１の開口部１３に先軸１５が嵌合等により固着される構造となっている。
【００１２】
先軸１５は、図４（ａ）に示すように、後方側に後軸１１の開口部１３に嵌合する環状の嵌合部１６と、前方側に肩部１７、ペン先４０の本体部４２を固着する筒状の嵌入部１８とを有すると共に、上記嵌合部１６内にはインク吸蔵体２０の前端部を保持する保持片からなる保持部材１９が設けられている。上記嵌入部１８の内周面上にはペン先４０の本体部４２の嵌合部１８ａが設けられている。この構造の先軸１５は、例えば、ＰＰ等からなる合成樹脂などで成形されるものである。
【００１３】
インク吸蔵体２０は、水性インク、油性インクなどの筆記具用インクを含浸したものであり、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる繊維束、フェルト等の繊維束を加工したもの、また、スポンジ、樹脂粒子、焼結体等の多孔体を含むものである。このインク吸蔵体２０は、軸筒１０の本体部１１内に収容されている。
また、用いるインク組成は特に限定されず、アンダーラインペン等ではインクに蛍光色素、例えば、ベーシックバイオレット１１、ベーシックイエロー４０などを含有させることできる。
【００１４】
中継多孔体３０は、インク吸蔵体２０のインクを後述するペン先４０の保持体５５に設けたインク誘導部５０に供給する中継芯となるものであり、インク吸蔵体２０の前方側の挿入部２１に嵌入する構造となる。この中継芯３０は、インク吸蔵体２０と同様に繊維束、フェルト等の繊維束を加工した繊維束芯、または、硬質スポンジ、樹脂粒子焼結体等からなる樹脂粒子多孔体、スライバー芯等の連続気孔（流路）を有するものであり、インク吸蔵体２０に含浸されたインクが中継芯３０を介して保持体５５のインク誘導部５０へ供給できるものであれば、特にその形状、構造等は限定されるものでない。この中継芯の断面形状としては、例えば、円形、楕円形、正方形、長方形、台形、平行四辺形、ひし形、カマボコ形、半月形の形状が挙げられ、本実施形態では、断面形状が円形状となっている。
【００１５】
ペン先４０は、図４（ｂ）及び（ｃ）に示すように、非対照型となる筆記部（ペン芯）４５を備えると共に、該多孔体４５を保持し、筆記部にインクを供給するためのインク誘導部５０を有する保持体５５とを備え、該保持体５５には後方側に中継多孔体３０を保持する筒状部４１を有する本体部４２が連設されている。この本体部４２の外周面にはフランジ部４３が設けられ、筒状部４１の入り口には中継多孔体３０を嵌入保持するようになっている。なお、本発明において、「筆記部が非対照型」とは、長方形、チゼル形、楕円形など
一部が幅広からなる筆記部を意味するものである。
また、ペン先４０の本体部４２の外周面上には、先軸１５の嵌入部１８に設けた嵌合部１８ａに嵌合するための嵌合突部４２ａが設けられている。なお、本体部４２の底面は、平坦状となる面削ぎ部４４となっている。
【００１６】
筆記部となる多孔体４５は、保持体５５の先端部に固着されるものであり、例えば、天然繊維、獣毛繊維、ポリアセタール系樹脂、ポリエチレン系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の組み合わせからなる並行繊維束、フェルト等の繊維束を加工又はこれらの繊維束を樹脂加工した繊維芯、または、各種のプラスチック粉末などを焼結したポーラス体（焼結芯）などからなるものである。
【００１７】
この筆記部となる多孔体４５の形状としては、例えば、外観形状がチゼル形状、砲弾形状、円柱、楕円柱、立方体、直方体などの形状が挙げられ、また、その断面形状が台形、平行四辺形、ひし形、カマボコ形、半月形等となる形状が挙げられ、本実施形態では、チゼル形状となっている。チゼル形状とは、先端がペン軸の中心線に対して傾斜面を形成しており、傾斜面が平坦である形状である。
また、筆記部となる多孔体４５は、筆記しやすい傾きとなるように、好ましくは、本体軸の長軸方向に対して、４０〜９０°の角度で傾いていることが望ましく、本実施形態では、７５°の傾きとなっている。
これらの筆記部となる多孔体４５の形状、傾き等は、筆記等の使い勝手に合わせて適宜設定される。また、筆記部となる多孔体４５は、描線幅が太いものであり、好ましくは、描線幅２ｍｍ以上、更に好ましくは、描線幅３ｍｍ以上の描線幅となる筆記部である。
【００１８】
この本体部４２を含む保持体５５は、視認性を有する材料、例えば、ＰＰ、ＰＥ、ＰＥＴ、ＰＥＮ、ナイロン（６ナイロン、１２ナイロン等の一般的なナイロン以外に非晶質ナイロン等を含む）、アクリル、ポリメチルペンテン、ポリスチレン、ＡＢＳ等の材料から構成されるものであり、可視光線透過率が５０％以上となる材料から構成されることが好ましい。
また、保持体５５の可視光線透過率が８０％以上であれば、筆記方向に書いてある文字を良好に視認できるものとなる。なお、可視光線透過率は、多光源測色計を用いて反射率を測定することで求めることができる。
【００１９】
この保持体５５は、上記各材料の一種類、または、耐久性、視認性の更なる向上の点などから、２種類以上の材料を用いて構成することができ、２種類以上の材料で構成する場合は、少なくとも一つが可視光線透過率５０％以上となる材料から構成されているものが好ましく、射出成形、ブロー成形などの各種成形法により成形することができる。
なお、保持体５５の外周の表面に透過率の高いゴムシート等の被覆をすることで、調整時において、滑らず回転することができる。
【００２０】
上記保持体５５内部には、筆記部にインクを供給するためのインク誘導部５０を少なくとも１つ有するものであり、本実施形態では、視認部の面積比率を最大限に発揮せしめる点、筆記部となる多孔体に効率的にインクを供給する点から、長手方向の中央にインク誘導部５０が貫通する形で１本設けられている。なお、このインク誘導部５０の形状、大きさ、本数等は、筆記具本体に含まれるインク吸蔵体２０に含浸されたインクが上記中継多孔体３０、インク誘導部５０等を介して筆記部となる多孔体４５へ毛管作用により効率よくインク供給できる構造等となるものであれば、その形状、構造、大きさ、本数などは適宜選択することができる。
【００２１】
インク誘導部５０の後部端面より後方となり、筒状部４１の前方側には、中継芯３０の前側の端面が当接可能な環状の段部４９が形成されると共に、該段部４９と中継芯３０との間に隙間部４８が形成されている。この隙間部４８は、中継芯３０の端面が段部４９に当接しない距離となるものであり、好ましくは、長手方向の隙間の長さは、０＜隙間の長さ≦２ｍｍの範囲とすることが望ましく、本実施形態では１．５ｍｍの隙間部から構成されている。この隙間部４８には、更に、段部４９とインク誘導部５０との間に中継芯３０の径よりも小さく、インク誘導部５０の径よりも大きい開口型の凸部４９ａが形成されている。
この構造のペン先４０では、インク吸蔵体２０からのインクを中継多孔体３０、隙間部４８、凸部４９ａ、インク誘導部５０、筆記部となる多孔体（ペン芯）４５へと毛管力作用により連続的に供給できる構造となっており、適切なインク流量を確保して筆記時の掠れを防止し、筆記流量の安定とインク吸蔵体のインクを十分に使い切ることができる構造となっている。
【００２２】
更に、上記保持体５５の上部側の両側面に、筆記部となるペン芯４５を保持するリブ体５６が設けられると共に、該リブ体間にはペン芯４５の底面と当接する底面部（図示せず）が設けられている。この底面部の中央部にはインク誘導部５０の出口が形成されている。更に、上記リブ体の一方の端面にペン芯４５の前端面が当接する当接部５７が設けられており、他方の端面はペン芯４５を挿入する入り口となっている。
【００２３】
キャップ体６０は、図２に示すように、先軸１５に嵌合等により着脱自在に取り付けられるものであり、ペン芯４５を保護する内キャップ部６１と、筒状型の外キャップ部６２とから構成され、外キャップ部６２の該表面部にデザイン性を向上させた凹面部６３が形成された構造となっている。また、外キャップ部６２の前方側となる開口面は筆記具を、机等の平坦面に倒立できる構造となるように広い開口面となっている。
【００２４】
このように構成される本実施形態の筆記具Ａでは、ペン先４０は、本体部４２の外周面上に、筆記具本体１０の先軸１５の嵌入部１８に設けた嵌合部１８ａに嵌合するための嵌合突部４２ａが設けられる構造となっているので、ペン先４０の本体部４２を先軸１５の嵌入部１８に嵌入すると、嵌合突部４２ａは嵌合部１８ａに嵌合して取り付けられることとなる。本実施形態では、上記嵌合突部４２ａと嵌合部１８ａの嵌合形状は、共に環状（円形）であるので、樹脂成形品で構成される筆記部４５の外周面となる保持体５５を手で回転させると、簡単に筆記部４５を３６０°回転させることができ、筆記部４５の位置を任意に調整できるものとなり、かつ、筆記時には筆記の際の筆圧以上の嵌合力（固定力）で上記嵌合を行っているので、筆記部４５は回転しない構造となる筆記具となるものである。上記嵌合力の調整は、嵌合突部の高さ、幅方向長さ、
嵌合部の数、周長などを調整することにより好適な嵌合力とすることができるものとなっている。
図５〜図７は、筆記部４５を回転させた状態の一例を示す各図面であり、図５（ａ）〜（ｃ）は筆記具Ａを回転させる前の筆記具の正面図、左側面図、平面図であり、図６（ａ）〜（ｃ）は、図５の筆記具の筆記部４５を４５°回転した際の状態を示す各図面、図７（ａ）〜（ｃ）は図５の筆記具の筆記部４５を９０°回転した際の状態を示す各図面である。
また、筆記部４５の外周となる保持体は樹脂成形品で成形することができるので、手を汚すことなく筆記部の位置を任意に調整することができるものとなる。
【００２５】
また、本実施形態では、ペン先４０は、上述の如く、筆記部となるペン芯４５と、該ペン芯４５を保持し、筆記部にインクを供給するためのインク誘導部５０を少なくとも１つ有する保持体５５を備えたものであり、インク吸蔵体２０に含まれるインクを、保持体５５に設けたインク誘導部５０に供給するための中継多孔体３０を有すると共に、上記保持体５５が、視認性を有する材料で構成されているので、当該保持体５５においてインキ誘導部５０以外の全面（全体）が、筆記方向を視認できる視認部となるものであり、視認部の面積比率を、先軸１５先端部より突出したペン先の４０％以上とすることができ、好ましくは、ペン先の保持体５５側面の視認部も、４０％以上とし、更に、インク誘導部５０を保持体５５の長手方向中央部に形成し、インク誘導部５０の幅方向の長さ、直径、断面積等を好適に設定することにより、更に、視認部の面積比率を、５０％以上、最大９０％程度にすることができ、従来よりも筆記方向に書いてある文字を確実に読むことができる十分な視認性が付与することができると共に、終筆まで使用可能な筆記具が提供されるものとなる。特に、インク誘導部５０を保持体５５の長手方向中央部に形成することにより、筆記部となる多孔体４５に、かたよりなく効率的にインクを供給できるので、更に、終筆まで使用可能な筆記具が提供されるものとなる。
また、インク誘導部５０を保持体５５の長手方向中央部に形成することにより、筆記方向を定め易く、非常に筆記しやすい形状となるものである。
更に、インク誘導部５０には、直接液体が供給される機構とすることにより、インクを効率的に筆記部となる多孔体４５に供給することができるものとなる。
【００２６】
本発明は、上記実施形態に限定されるものでなく、本発明の要旨を変更しない範囲で種々の形態に変更することができる。
本発明では、筆記部が非対照型であり、該筆記部が回転可能であることを特徴とするものであるので、これ以外の構造は特に限定されないものであり、例えば，筆記部へのインク供給機構は特に限定されず、上記実施形態の筆記具Ａにおいて、インク吸蔵体２０からのインクを中継多孔体３０、隙間部４８、凸部４９ａ、保持体５５のインク誘導部５０、ペン芯４５へと毛管力作用により連続的に供給できる構造としたが、隙間部４８、並びに凸部４９ａとを設けることなく、それぞれ省略してインクの供給を行ってもよいものである。
【００２７】
また、図８に示すように、インク吸蔵体２０からのインクを中継多孔体３０、インク誘導部５０に多孔体から構成されるインク誘導芯５１を収容し、インク吸蔵体２０からのインクを中継多孔体３０、インク誘導部５０内のインク誘導芯５１、ペン芯４５へと毛管力作用により連続的に供給できる構造としてもよいものである。なお、図８において、図１〜図７と共通する構成は同一符号で示しその説明を省略するものである。
また、上記実施形態の筆記具Ａでは、筆記具本体の軸筒などを楕円軸に形成したが、三角形状、四角形以上の方形状などの異形形状にしても良いものである。特に、筆記具本体の持ち方が固定される楕円形状等の異形形状の軸筒であっても、筆記しやすい任意の位置にペン先となる筆記部の向きを容易に調整することができると共に、筆記時には筆記部は回転しない構造となる筆記具が提供されるものとなる。
【００２８】
更に、筆記部となるペン先の構造を例えば、図９に示す構造としてもよいものである。なお、図９及び後述の図１０の形態において、上記図１〜図８の実施形態と同様の構成は、同じ図示符号を付けてその説明を省略する。
図９は、ペン先が中継多孔体と筆記部となるペン芯が一体となった従来型のペン先７０を用いたものであり、
この構造のペン先７０は、インク吸蔵体２０からのインクが中継多孔体７１、筆記部となるペン芯７２へと毛管力作用により連続的に供給できる構造となっている。また、該ペン先７０を嵌入保持する保持体７５が先軸部１５に上記実施形態と同様に嵌合されている。この保持体７５には、ペン芯７２を保持するペン芯保持部７６と中継多孔体７１を嵌入保持する嵌入孔７７と保持体後端外周に先軸１５の嵌入部１８に設けた嵌合部１８ａに嵌合するための嵌合突部７８が設けられる構造となっている。
この形態の筆記具Ｂでは、ペン先７０は、保持体７５の後端側の外周面上に、筆記具本体１０の先軸１５の嵌入部１８に設けた嵌合部１８ａに嵌合するための嵌合突部７８が設けられる構造となっているので、ペン先７０の中継多孔体７１を先軸１５の嵌入部１８に嵌入すると、嵌合突部７８は嵌合部１８ａに嵌合して取り付けられることとなる。本形態では、上記嵌合突部７８と嵌合部１８ａの嵌合形状は、共に環状（円形）であるので、樹脂成形品で構成される保持体７５のペン芯保持部７６の外周面を手で回転させると、簡単に筆記部となるペン芯７２を３６０°回転させることができ、ペン芯７２の位置を上記図１の実施形態と同様に任意に調整できるものとなり、かつ、筆記時には筆記の際の筆圧以上の嵌合力（固定力）で上記嵌合を行っているので、筆記部となるペン芯７２は回転しない構造となる筆記具となるものである。なお、上記嵌合力の調整は、上記実施形態と同様である。
【００２９】
更にまた、図１０は、先軸１５に、図１０（ａ）に示すように、嵌合部を２つ、具体的には、上記嵌入部１８の内周面上には入り口側から第１嵌合部１８ａ、後端側に第２嵌合部１８ｂを設けたものである。
また、ペン先４０の本体部４２の外周面上には、上記２つの嵌合部に対応して先軸１５の嵌入部１８に設けた第１嵌合部１８ａ、第２嵌合部１８ｂにそれぞれ嵌合するための第１嵌合突部４２ａ、第２嵌合突部４２ｂを設けたものである。
この２つの嵌合部を有する形態の筆記具でも、ペン先４０は、本体部４２の外周面上に、筆記具本体１０の先軸１５の嵌入部１８に設けた第１嵌合部１８ａ、第２嵌合部１８ｂにそれぞれ嵌合するための第１嵌合突部４２ａ、第２嵌合突部４２ｂが設けられる構造となっているので、ペン先４０の本体部４２を先軸１５の嵌入部１８に嵌入すると、第１嵌合突部４２ａ、第２嵌合突部４２ｂはそれぞれ第１嵌合部１８ａ、第２嵌合部１８ｂにそれぞれ嵌合して取り付けられることとなる。そして、上記第１嵌合突部４２ａと第１嵌合部１８ａ、並びに、第２嵌合突部４２ｂと第２嵌合部１８ｂの各嵌合形状は、共に環状（円形）であるので、樹脂成形品で構成される筆記部４５の外周面となる保持体５５を手で回転させると、簡単に筆記部４５を３６０°回転させることができ、筆記部４５の位置を任意に調整できるものとなり、かつ、筆記時には筆記の際の筆圧以上の嵌合力（固定力）で上記嵌合を行っているので、筆記部４５は回転しない構造となる筆記具となるものである。上記嵌合力の調整は、上記実施形態と同様である。
【産業上の利用可能性】
【００３０】
本発明の筆記具では、アンダーラインペン、ペイントマーカー、油性マーカー、水性マーカーと呼ばれるタイプの筆記具に好適に使用することができる。
【符号の説明】
【００３１】
Ａ  筆記具
１０  筆記具本体
１１  後軸
１５  先軸
２０  インク吸蔵体
３０  中継多孔体
４０  ペン先
４５  筆記部
５０  インク誘導部
５５  保持体
６０  キャップ体
【図１】
2014050967.tif 000003
【図２】
2014050967.tif 000004
【図３】
2014050967.tif 000005
【図４】
2014050967.tif 000006
【図５】
2014050967.tif 000007
【図６】
2014050967.tif 000008
【図７】
2014050967.tif 000009
【図８】
2014050967.tif 000010
【図９】
2014050967.tif 000011
【図１０】
2014050967.tif 000012